(57)【要約】【課題】後席が各種使用状況にあっても当該後席がペットによって汚されることを確実に防止し、かつ使い勝手の一段と優れた車両用シートカバーを提供する。【解決手段】前席側ファスナ16及び後席側ファスナ15を結合又は結合解除することによってシートカバー本体10のサイズを変更可能としたことにより、シートカバー本体10のサイズを使用者の好みに合わせて小さくしたり、大きくしたりして前席２と後席５とに掛け渡すことができるので、シートカバー本体10を有効活用し得る様々な使用形態を使用者に提供することができ、かくして、後席５が各種使用状況にあっても当該後席５がペットによって汚されることを確実に防止し、かつ使い勝手の一段と優れた車両用シートカバー１を実現することができる。【選択図】図５
2008221018.tif 000002
【特許請求の範囲】
【請求項１】
シートカバー本体の前後に設けた係止部材を車両の前後方向にそれぞれ係止させることにより座席に掛け渡して配置し、前記シートカバー本体によって前記座席と床面、又は前記座席を覆う車両用シートカバーであって、
前記シートカバー本体の前方カバー部及び後方カバー部間には複数の結合部材が設けられ、各前記結合部材を結合又は結合解除させることにより前記シートカバー本体の前後方向のサイズを変更可能とした
ことを特徴とする車両用シートカバー。
【請求項２】
前記シートカバー本体は、前記座席の座部に配置されるとともに、前記座席に設けられたシートベルトの固定金具に対応する位置に挿通部が形成されている
ことを特徴する請求項１記載の車両用シートカバー。
【発明の詳細な説明】
【技術分野】
【０００１】
本発明は車両用シートカバーに関し、車両の後席に猫や犬等のペットを乗車させるときに適用して好適なものである。
【背景技術】
【０００２】
近年、猫や犬等の動物をペットとして飼う人（以下、これを飼い主と呼ぶ）が増えており、これに伴ってペットを行楽地等に連れて行くために自動車の後席にペットを乗車させる機会も多くなっている。
【０００３】
そして、飼い主が自動車の後席にペットを乗車させる際には、ペットの毛やペットに付着した泥等によって後席が汚れることを防止するために、車両用シートカバーが用いられている（例えば、特許文献１参照）。
【０００４】
実際上、この車両用シートカバーは、ほぼ長方形状でなるシートカバー本体と、当該シートカバー本体の長手方向の一端側及び他端側にそれぞれ設けられたベルト部材とから構成されており、前席の背もたれ上部と後席の背もたれ上部とにベルト部材をそれぞれ掛けることにより前席から後席までの間にシートカバー本体を掛け渡して後席全体を被い、これによりペットの毛やペットに付着した泥等により後席が汚れることを防止し得るようになされている。
【特許文献１】特開２０００−３１６４０４号公報
【発明の開示】
【発明が解決しようとする課題】
【０００５】
しかしながら、かかる構成の車両用シートカバーでは、前席における背もたれ上部のヘッドレストから後席の座部までほぼ直線的にシート部材が掛け渡されて配置されることから、例えば後席にペットと共に人をも乗車させたいときには後席の床面に搭乗者の足を置くことができないので、この際、前席側のベルト部材を当該前席のヘッドレスからその都度取り外す必要があり、当該ベルト部材の取り外し作業も煩雑であるため使い勝手が悪いという問題があった。
【０００６】
また、この場合、車両用シートカバーの一端側を前席のヘッドレスから取り外した状態においては、後席の床面や前席の背もたれ背面が露出してしまい、ペットの毛やペットに付着した泥等によって当該後席の床面や前席の背もたれ背面が汚れる虞があるという問題があった。
【０００７】
本発明は、このような状況を鑑みてなされたもので、後席が各種使用状況にあっても当該後席がペットによって汚されることを確実に防止し、かつ使い勝手の一段と優れた車両用シートカバーを提供することを目的とする。
【課題を解決するための手段】
【０００８】
かかる課題を解決するため本発明において、請求項１記載の発明では、シートカバー本体の前後に設けた係止部材を車両の前後方向にそれぞれ係止させることにより座席に掛け渡して配置し、前記シートカバー本体によって前記座席と床面、又は前記座席を覆う車両用シートカバーであって、前記シートカバー本体の前方カバー部及び後方カバー部間には複数の結合部材が設けられ、各前記結合部材を結合又は結合解除させることにより前記シートカバー本体の前後方向のサイズを変更可能としたことを特徴とするものである。
【０００９】
また、請求項２記載の発明では、前記シートカバー本体は、前記座席の座部に配置されるとともに、前記座席に設けられたシートベルトの固定金具に対応する位置に挿通部が形成されていることを特徴とするものである。
【発明の効果】
【００１０】
請求項１記載の発明によれば、複数の結合部材を結合又は結合解除することによってシートカバー本体のサイズを変更可能としたことにより、シートカバー本体のサイズを使用者の好みに合わせて小さくしたり、大きくしたりして座席とに掛け渡すことができるので、シートカバー本体を有効活用し得る様々な使用形態を使用者に提供することができ、かくして、座席が各種使用状況にあっても当該座席がペットによって汚されることを確実に防止し、かつ使い勝手の一段と優れた車両用シートカバーを実現することができる。
【００１１】
また、請求項２記載の発明によれば、挿通部において、座席に設けたシートベルトの固定金具とシートベルトの差込金具とを確実に連結させることができる。
【発明を実施するための最良の形態】
【００１２】
以下図面に基づいて、本発明の一実施の形態を詳述する。
【００１３】
図１及び図２において、１は全体として車両用シートカバーを示し、前席２の背もたれ上部3aと、後席５における背もたれ上部6aとの間にシートカバー本体10を掛け渡して配置し得るようになされている。
【００１４】
シートカバー本体10は、例えばポリエステル等の撥水機能を備えた生地によりほぼ長方形状に一体形成されており、その長手方向の寸法が約２３３０ｍｍ、短手方向の寸法が約１１５０ｍｍ及び厚みが約３〜５ｍｍに選定された構成を有する。
【００１５】
実際上、このシートカバー本体10は、前席２側に配置される前方カバー部11と、後席５の座部８の上面及び背もたれ６を覆う後方カバー部12と、前方カバー部11と後方カバー部12との間に一体成形された中間カバー部13とから構成されており、シートカバー本体10の表面10aに設けられた後席側ファスナ15と前席側ファスナ16とを結合させることにより、後方カバー部12と前方カバー部11とを直接連結し得るようになされている（図１）。
【００１６】
図３に示すように、前方カバー部11の一端には、運転席用ベルト17a及び助手席用ベルト17bと、運転席側支持部18a及び助手席側支持部18bとが設けられている。
【００１７】
係止部材としての運転席用ベルト17a及び助手席用ベルト17bは、帯状でなり、その両端部が縫い糸によって前方カバー部11の一端に縫い付けられ、図示しない調節金具によってその長さを適宜調節し得るようになされている。
【００１８】
運転席用ベルト17aは、運転席2a側において背もたれ上部3aとヘッドレスト４との間のピラー19に掛けられ、助手席用ベルト17bは、助手席2bにおいて背もたれ上部3aとヘッドレスト４との間のピラー19に掛けられることにより、前方カバー部11の一端を前席２（運転席2a及び助手席2b）の背もたれ上部3aに位置決めし得るように構成されている。
【００１９】
運転席側支持部18a及び助手席側支持部18bは、それぞれ運転席2a及び助手席2bの背もたれ３の幅寸法とほぼ同じ幅寸法でなる棒体20が内部に挿入されており、運転席用ベルト17a及び助手席用ベルト17bを背もたれ上部3aに係止させたとき、前方カバー部11の両側部が垂れ下がることを防止し、当該前方カバー部11を前席２の背もたれ上部3aに沿って確実に張架させ得るようになされている。
【００２０】
ここで、運転席側支持部18a及び助手席側支持部18bは、別体に構成されていることから運転席2aと助手席2bとがそれぞれ独立して傾斜等されても、互いに規制されることなく、これら運転席2aと助手席2bとに追従して移動し得るようになされている。
【００２１】
また、この実施の形態の場合、運転席側支持部18aと助手席側支持部18bとの間には、生地のみで構成した段差部21が設けられており、運転席2aと助手席2bとが傾斜等したとき、この段差部21によって運転席側支持部18aと助手席側支持部18bとが当該運転席2aと助手席2bとの傾斜に一段と確実に追従し得るようになされている。
【００２２】
一方、後方カバー部12の一端には、図４に示すように、運転席側後席用ベルト22a及び助手席側後席用ベルト22bと、運転席側後席支持部23a及び助手席側後席支持部23bと、これら運転席側後席支持部及び助手席側後席支持部との間に形成された段差部21とが設けられている（図１及び図２）。
【００２３】
なお、これら運転席側後席用ベルト22a及び助手席側後席用ベルト22bは、上述した運転席用ベルト17a及び助手席用ベルト17bと同様の構造を有し、運転席側後席支持部23a及び助手席側後席支持部23bは、上述した運転席側支持部18a及び助手席側支持部18bと同様の構造を有する。
【００２４】
これにより後方カバー部12の一端は、係止部材としての運転席側後席用ベルト22a及び助手席側後席用ベルト22bとが後席５のヘッドレスト７に掛けられることにより、背もたれ上部6aに配置され得る（図１及び図２）。
【００２５】
また、後方カバー部12の一端は、運転席側後席用ベルト22a及び助手席側後席用ベルト22bを背もたれ上部6aに係止したとき、運転席側後席支持部23aと助手席側後席支持部23bとによって後方カバー部12の両側部が垂れ下がることが防止でき、当該後席５の背もたれ上部6aに沿って確実に張架され得るようになされている。
【００２６】
なお、運転席側後席支持部23a及び助手席側後席支持部23bについても、別体に構成され、かつその間に段差部21を有することにより、運転席側又は助手席側において後席５がそれぞれ独立して傾斜等しても、互いに規制されることなく、当該後席５に追従して移動し得るようになされている。
【００２７】
かかる構成に加えて、図４に示したように、後方カバー部12の裏面12bには、座席係止部材25が設けられているとともに、一文字状に切り込まれた挿通部26が形成されている。なお、24は上述した調節金具である。
【００２８】
座席係止部材25は、一端に棒体（図示せず）を内蔵した膨出部27を備え、他端の固着部28が縫い糸によって後方カバー部12の裏面12bに縫い付けられた構成を有し、図５（Ａ）及び（Ｂ）に示すように、後席５における座部８と背もたれ６との間の隙間に当該膨出部27が押し込まれることにより、後方カバー部12が後席５から浮き上がることを防止し得るようになされている。
【００２９】
また、膨出部27は、座部８と背もたれ６との間の隙間を通って背もたれ６の背面（座席裏側）まで貫通させることにより、後方カバー部12が後席５から浮き上がることを一段と確実に防止し得るようになされている。
【００３０】
挿通部26は、後席５に設けられたシートベルトの固定金具30（図２）の近傍位置に設けられており、シートカバー本体10の表面10a側において、当該シートカバー本体10と同じ生地からなりほぼ長方形状でなる保護部材31により覆われた構成を有する。
【００３１】
実際上、この保護部材31は、図６に示すように、挿通部26全体を覆うように位置決めされ、その位置において一側部側に開口部32を有するように縫い糸によって後方カバー部12に縫い付けられている。かくして、保護部材31及び挿通部26は、後方カバー部12の裏面12b側にあるシートベルトの固定金具30を後方カバー部12の表面に露出できるようになされている。
【００３２】
なお、この保護部材31は、面ファスナやボタン等による係止手段により開閉自在に構成するようにしても良い。
【００３３】
かかる構成に加えてシートカバー本体10の表面10aには、図１及び図２に示したように、ガイド部材33によって凹凸の噛み込みを自在とする一対の後席側ファスナ15と前席側ファスナ16とが設けられており、これら後席側ファスナ15と前席側ファスナ16とが結合することにより、後方カバー部12と前方カバー部11とが一体化したペット用カバー体35が形成される（図１）。
【００３４】
この場合、一対の後席側ファスナ15及び前席側ファスナ16は、シートカバー本体10の一側部34aと他側部34bとに亘って設けられており、前席２と後席５との間にシートカバー本体10を掛け渡したとき、車内において車両の左右方向（車両の前後方向と直交する方向）に配置され得る。
【００３５】
結合部材としての後席側ファスナ15は、後方カバー部12と中間カバー部13との間において、シートカバー本体10の表面10aから僅かに突出した帯状の突出辺36に縫合されている。実際上、この実施の形態の場合、後席側ファスナ15は、前席側ファスナ16との結合を解除した結合解除時、後席５における座部８の前方角部8a（図５（Ｂ））近傍位置で、当該前方角部8aとほぼ平行となるように配置されている。
【００３６】
一方、結合部材としての前席側ファスナ16は、前方カバー部11と中間カバー部13との間において、シートカバー本体10の表面10aから僅かに突出した帯状の突出辺37に縫合されている。実際上、この実施の形態の場合、前席側ファスナ16は、後席側ファスナ15との結合を解除した結合解除時、前席２の背もたれ３付近において後席側ファスナ15とほぼ平行となる位置に配置されている。
【００３７】
かくして、図５（Ａ）に示すように、前席側ファスナ16と後席側ファスナ15とが結合した場合には、前席２の背もたれ上部3aと後席５の座部８との間に前方カバー部11がほぼ直線的に掛け渡され、後方カバー部12と前方カバー部11とによって前席２の背もたれ上部3a、後席５の座部８及び後席５の背もたれ６が覆われるように構成されている。
【００３８】
このとき、中間カバー部13は、前席側ファスナ16と後席側ファスナ15とが結合することにより折り畳まれて筒状の空間（以下、これを筒状空間と呼ぶ）ER1を形成し得る。
【００３９】
そして、図５（Ｂ）に示すように、中間カバー部13は、後席側ファスナ15と前席側ファスナ16とが結合解除し、後方カバー部12と前方カバー部11とが隔離すると、ほぼ断面コ字状に開いて前席２の背もたれ３の下部、後席５の床面40及び後席５の座部８を覆うように構成されている（図２）。
【００４０】
以上の構成において、車両用シートカバー１では、シートカバー本体10の一側部34aから他側部34bに亘って後席側ファスナ15と前席側ファスナ16とを設けるとともに、これら結合又は結合解除可能な後席側ファスナ15と前席側ファスナ16との間に所定距離を設けるようにした。これにより車両用シートカバー１の使用形態に応じて前席側ファスナ16と後席側ファスナ15とを結合又は結合解除させることにより、車両の前後方向に対してシートカバー本体10のサイズを伸縮させることができる。
【００４１】
かくして、図１に示すように、前席側ファスナ16と後席側ファスナ15とを結合することにより、前方カバー部11と後方カバー部12とが一体化したペット用カバー体35が形成され、これにより車両の前後方向に対してシートカバー本体10のサイズを短くすることができるので前席２の背もたれ上部3aと後席５の座部８との間を前カバー部だけで覆うことができ、また、後席５の座部８の上面及び後席５の背もたれ６全体を後方カバー部12により覆うことができる。
【００４２】
従って、車両用シートカバー１では、結合時、後席５の座部８の上面に前方カバー部11と後方カバー部12とだけで取り囲まれた空間内に猫や小型犬、中型犬等のペットを乗車させることにより、当該ペットの毛やペットに付着した泥等によって後席５の座部８や床面40等が汚れることを確実に防止できる。
【００４３】
また、車両用シートカバー１では、結合時、中間カバー部13が折り畳まれて筒状空間ER1を形成し得るようにしたことにより、この筒状空間ER1を収納スペースとしても使用することもでき、かくして汚れたペット用具等をペットと隔離した状態で、かつ床面40を汚すことなく収納できる。
【００４４】
一方、図２に示すように、後席側ファスナ15と前席側ファスナ16とが結合解除されると、前方カバー部11と後方カバー部12とが隔離し、折り畳まれていた中間カバー部13が後席５の床面40において展開する。
【００４５】
これにより車両用シートカバー１は、車両の前後方向に対してシートカバー本体10のサイズを長くすることができるので、前席２の背もたれ３の背面全体を前方カバー部11により覆うことができるとともに、前方カバー部11と連続して当該前席２の背もたれ３の下部から後席５の床面40及び後席５の座部８までを中間カバー部13で覆うことができ、さらには中間カバー部13と連続して後席５の座部８及び後席５の背もたれ６を後方カバー部12で覆うことができるので、前席２の背もたれ３の背面、後席５の床面40、後席５の座部８及び背もたれ６がペットの毛やペットに付着した汚れ等によって汚れることを確実に防止できる。
【００４６】
また、車両用シートカバー１では、結合解除時、後席５の背もたれ６前方の空間と後席５の床面40の空間とがペット用カバー体35によって仕切られることがないので、シートカバー本体10を後席５に取り付けた状態のまま、後席５の床面40に足を伸ばした楽な姿勢で使用者を座部８に座らせることもでき、かくしてペットの毛やペットに付着した汚れ等で後席５を汚すことなくペットと使用者とを一緒に乗車させることもできる。
【００４７】
このように車両用シートカバー１では、シートカバー本体10に設けられた後席側ファスナ15及び前席側ファスナ16を結合又は結合解除することにより、車両の前後方向に対してシートカバー本体10のサイズを使用者の好みに合わせて小さくしたり、大きくしたりして前席２と後席５とに掛け渡すことができるので、シートカバー本体10を有効活用し得る様々な使用形態を使用者に提供することができる。
【００４８】
また、車両用シートカバー１では、結合解除時に後席５の床面40の上方に位置する前方カバー部11の他端に前席側ファスナ16を設けるようにしたことにより、後席側ファスナ15と前席側ファスナ16との結合を解除させるだけで、前席側ファスナ16の自重によって前方カバー部11を背もたれ下方へ容易に垂下させることができ、かくして前方カバー部11が浮き上がることを防止できる。
【００４９】
さらに、この実施の形態の場合、後席側ファスナ15及び前席側ファスナ16は、シートカバー本体10の表面10aから突出した帯状の突出辺36，37に設けるようにしたことにより、使用者が後席側ファスナ15及び前席側ファスナ16を容易に把持することができ、かくして後席側ファスナ15及び前席側ファスナ16の凹凸を容易に、かつ素早く噛み合わせて結合させることができるので使用者の使い勝手を向上させ得る。
【００５０】
さらに加えて車両用シートカバー１では、後方カバー部12の裏面12bに座席係止部材25を設け、この座席係止部材25を後席５の座部８と背もたれ６との間の隙間に押し込むようにしたことにより、後席５に乗車したペットや使用者が動くことによって生じる後方カバー部12の位置ずれや浮き上がりを防止できる。
【００５１】
また、車両用シートカバー１では、座席係止部材25が座部８と背もたれ６との間の隙間を通って背もたれ６の背面（座席裏側）で係止することで、後方カバー部12が後席５から浮き上がることを一段と確実に防止でき、かくして後席５に乗車したペットや使用者が動くことによって生じる後方カバー部12の位置ずれや浮き上がりを確実に防止できる。
【００５２】
因みに、この車両用シートカバー１では、後方カバー部12に挿通部26が形成されていることにより、当該挿通部26において、後席５に設けたシートベルトの固定金具30とシートベルトの差込金具とを確実に連結させることができる。
【００５３】
また、この挿通部26は、保護部材31で覆われていることにより、シートベルトを使用しないときに当該シートベルトの固定金具30が挿通部26から露出することを防止でき、当該固定金具30がペットによりいたずらされることを確実に防止できる。
【００５４】
なお、この車両用シートカバー１は、後席側ファスナ15と前席側ファスナ16との結合を解除することによりシートカバー本体10のサイズを大きくすることができるので、図７に示すように、後席５を前倒させて形成されるラゲージルーム全体をシートカバー本体10で覆うこともできる。
【００５５】
以上のように、本実施の形態によれば、離して設けた前席側ファスナ16及び後席側ファスナ15を結合又は結合解除することによってシートカバー本体10のサイズを変更可能としたことにより、シートカバー本体10のサイズを使用者の好みに合わせて小さくしたり、大きくしたりして前席２と後席５とに掛け渡すことができるので、シートカバー本体10を有効活用し得る様々な使用形態を使用者に提供することができ、かくして、後席５が各種使用状況にあっても当該後席５がペットによって汚されることを確実に防止し、かつ使い勝手の一段と優れた車両用シートカバー１を実現することができる。
【００５６】
また、本実施の形態によれば、シートカバー本体10は、前席側ファスナ16及び後席側ファスナ15の結合時にはサイズが小さくなり後席５だけを覆い、前席側ファスナ16及び後席側ファスナ15の結合解除時にはサイズが大きくなり後席５だけでなく当該後席５の床面40も覆うようにしたことにより、シートカバー本体10を後席５に取り付けた状態のまま、後席５の床面40に足を伸ばした楽な姿勢で使用者を座部８に座らせることもでき、かくして後席５を汚すことなくペットと使用者とを一緒に乗車させることもできる。またシートカバー本体10のサイズを大きくすることにより、ペットの居住空間が拡大でき、後席５及び後席５の床面40を汚すことなく大型犬等のペットも乗車させることもできる。
【００５７】
さらに、本実施の形態によれば、後席５に係止可能な座席係止部材25を後方カバー部12の裏面12bに設けるようにしたことにより、後席５に乗車したペットや使用者が動くことによって生じる後方カバー部12の位置ずれや浮き上がりを防止でき、かくして常に最適な使用状態を維持できる。
【００５８】
なお、本発明は上記実施の形態に限定されるものではなく、本発明の要旨の範囲内において種々の変形実施が可能であり、前席側ファスナ16及び後席側ファスナ15に替えて、面ファスナやスナップ、ボタン等、種々の結合部材を適用するようにしても良い。
【００５９】
また、上述した実施の形態においては、結合部材として２つの前席側ファスナ16及び後席側ファスナ15を設けるようにした場合ついて述べたが、本発明はこれに限らず、結合部材として３つや４つ等の複数のファスナを設けるようにしても良い。
【００６０】
この場合、シートカバー本体10において１つのファスナが結合できる場所が増えるので、結合箇所を変更することにより、シートカバー本体10のサイズを使用者の好みに合わせて小さくしたり、大きくしたり、或いはそれらの中間の大きさ等に適宜変更できるので、シートカバー本体10を有効活用し得る様々な使用形態を一段と使用者に提供することができる。
【００６１】
さらに、上述した実施の形態においては、後席５における座部８の前方角部8a付近に位置するようにシートカバー本体10に後席側ファスナ15を設けるようにした場合について述べたが、本発明はこれに限らず、要は、前席側ファスナ16及び後席側ファスナ15の結合時に後席５だけを覆い、前席側ファスナ16及び後席側ファスナ15の結合解除時に後席５と当該後席５の床面40とを覆うことができれば良く、シートカバー本体10の種々の場所に後席側ファスナ15を設けるようにしても良い。
【００６２】
例えば、後席５における座部８の前方角部8aよりも下方に位置するようにシートカバー本体10に後席側ファスナ15を設けても良く、この場合、後席側ファスナ15が前方角部8aの下方に配置させることにより、後席側ファスナ15が後席５に乗車した使用者の膝裏に当たることを防止することができ、かくして後席側ファスナ15を気にかけることなく使用者に後席５への乗り降りをさせることができる。
【００６３】
さらに、上述した実施の形態においては、座席係止部材として、後席５の座部８と背もたれ６との間の隙間に押し込む座席係止部材25を適用するようにした場合について述べたが、本発明はこれに限らず、後席における運転席側と助手席側との間にある隙間や、アームレストの隙間等に押し込むような係止部材や、後席５の表面に着脱自在に形成された面ファスナ等の他の種々の係止部材を適用するようにしても良い。
【００６４】
さらに、上述した実施の形態においては、一対の後席側ファスナ15と前席側ファスナ16に凹凸の噛み込みを自在とするガイド部材33を１個設けるようした場合について述べたが、本発明はこれに限らず、一対の後席側ファスナ15と前席側ファスナ16に凹凸の噛み込みを自在とするガイド部材33を２個設けるようにしても良く、この場合、２個のガイド部材の位置を適宜調節することにより後席側ファスナ15と前席側ファスナ16との結合又は結合解除位置を適宜選定でき、これにより例えば後席５において運転席2a側又は助手席2b側のみにペット用カバー体35を形成させることができるので、シートカバー本体10を有効活用し得る様々な使用形態を使用者に提供することができる。
【図面の簡単な説明】
【００６５】
【図１】後席側ファスナと前席側ファスナとを結合させたときの車両用シートカバーの全体構成を示す斜視図である。
【図２】後席側ファスナと前席側ファスナとを結合解除させたときの車両用シートカバーの全体構成を示す斜視図である。
【図３】前方カバー部が前席に装着されたときの様子を示す概略図である。
【図４】後方カバー部の裏面の構成を示す概略図である。
【図５】後席側ファスナと前席側ファスナとを結合又は結合解除させたときのシートカバー本体の様子を示す側面図である。
【図６】保護部材及び挿通部の全体構成を示す概略図である。
【図７】車両用シートカバーによりラゲージルームを覆ったときの様子を示す概略図である。
【符号の説明】
【００６６】
１ 車両用シートカバー
２ 前席
５ 後席
10 シートカバー本体
15 後席側ファスナ（結合部材）
16 前席側ファスナ（結合部材）
17b 助手席用ベルト（係止部材）
17a 運転席用ベルト（係止部材）
22b 助手席側後席用ベルト（係止部材）
22a 運転席側後席用ベルト（係止部材）
25 座席係止部材
【図１】
2008221018.tif 000003
【図２】
2008221018.tif 000004
【図３】
2008221018.tif 000005
【図４】
2008221018.tif 000006
【図５】
2008221018.tif 000007
【図６】
2008221018.tif 000008
【図７】
2008221018.tif 000009